(57)【要約】【課題】フルカラーの画像データを黒色以外の単色画像の印刷データに変換するための一時テーブルを生成することができる構造の画像処理装置を提供する。【解決手段】カラーテーブルの三原色の少なくとも一部における濃度値を、白黒テーブルの濃度値に置換するとともに、三原色の他部と黒色とにおける濃度値の全部を０に置換することで、ルックアップテーブルの一つとして一時テーブルを生成する。このため、一時テーブルを既存かつ必須のカラーテーブルと白黒テーブルからリアルタイムに的確に生成することができる。【選択図】図１
2008078849.tif 000002
【特許請求の範囲】
【請求項１】
一つの明度値と複数のカラー値からなるフルカラーの画像データを三原色と黒色との濃度値からなるフルカラーの印刷データに変換するためのカラーテーブルと、フルカラーの前記画像データを黒色の濃度値からなる白黒の印刷データに変換するための白黒テーブルとを、複数のルックアップテーブルとして有し、複数の前記ルックアップテーブルから一つを選択して前記画像データを前記印刷データに変換する画像処理装置であって、
前記カラーテーブルの前記三原色の少なくとも一部における濃度値を前記白黒テーブルの濃度値に置換するとともに前記三原色の他部と黒色とにおける濃度値の全部を０に置換することで前記ルックアップテーブルの一つとして一時テーブルを生成するテーブル処理部を有する画像処理装置。
【請求項２】
前記テーブル処理部は、前記カラーテーブルの前記三原色の少なくとも一部における濃度値を前記白黒テーブルの濃度値に所定の係数を乗算して置換する請求項１に記載の画像処理装置。
【請求項３】
前記テーブル処理部は、前記カラーテーブルの前記三原色の全部における濃度値を前記白黒テーブルの濃度値に置換するときに、前記三原色に対して少なくとも一つの前記係数を異ならせる請求項２に記載の画像処理装置。
【請求項４】
複数の前記ルックアップテーブルを記憶しているテーブル記憶部と、前記ルックアップテーブルを一時保持するテーブル保持部と、前記画像データが入力されるデータ入力部と、入力される前記画像データを一時保持された前記ルックアップテーブルで前記印刷データに変換するデータ変換部と、変換された前記印刷データを出力するデータ出力部と、少なくともカラー画像と白黒画像と単色画像との印刷指示が選択的に入力される指示入力部とを、さらに有し、
前記テーブル処理部は、
前記カラー画像の印刷指示が入力されると前記テーブル記憶部から前記カラーテーブルを取得して前記テーブル保持部に格納し、
前記白黒画像の印刷指示が入力されると前記テーブル記憶部から前記白黒テーブルを取得して前記テーブル保持部に格納し、
前記単色画像の印刷指示が入力されると前記テーブル記憶部から前記カラーテーブルと前記白黒テーブルとを取得して前記一時テーブルを前記テーブル保持部に格納する請求項１ないし３の何れか一項に記載の画像処理装置。
【請求項５】
前記白黒テーブルの濃度値に置換する前記三原色の少なくとも一部の指定データが入力される指定入力部を、さらに有し、
前記テーブル処理部は、入力された前記指定データに対応して前記三原色の少なくとも一部における濃度値を前記白黒テーブルの濃度値に置換する請求項４に記載の画像処理装置。
【請求項６】
請求項５に記載の画像処理装置のためのコンピュータプログラムであって、
少なくともカラー画像と白黒画像と単色画像との印刷指示の選択的な入力を受け付けること、
前記カラー画像の印刷指示が入力されると前記テーブル記憶部から前記カラーテーブルを取得して前記テーブル保持部に格納すること、
前記白黒画像の印刷指示が入力されると前記テーブル記憶部から前記白黒テーブルを取得して前記テーブル保持部に格納すること、
前記単色画像の印刷指示が入力されると前記テーブル記憶部から前記カラーテーブルと前記白黒テーブルとを取得し、前記カラーテーブルの前記三原色の少なくとも一部における濃度値を前記白黒テーブルの濃度値に置換するとともに前記三原色の他部と黒色とにおける濃度値の全部を０に置換することで前記一時テーブルを生成して前記テーブル保持部に格納すること、
前記画像データの入力を受け付けること、
入力される前記画像データを一時保持された前記ルックアップテーブルで前記印刷データに変換すること、
変換された前記印刷データを出力すること、
を前記画像処理装置に実行させるためのコンピュータプログラム。
【発明の詳細な説明】
【技術分野】
【０００１】
本発明は、画像データを印刷データに変換する画像処理装置に関し、特に、ルックアップテーブルを利用してフルカラーの画像データをフルカラーや白黒の印刷データに変換する画像処理装置に関する。
【背景技術】
【０００２】
従来、画像データを印刷データに変換する画像処理装置がある。このような画像処理装置は、例えば、アプリケーションソフトとしてパーソナルコンピュータにインストールされたプリンタドライバの機能、パーソナルコンピュータにハードウェアとして搭載されているプリンタドライバ、プリンタ装置にソフトウェアにより実装されているプリンタコントローラ、プリンタ装置にハードウェアとして搭載されているプリンタコントローラ、等として実施されている。
【０００３】
上述のような画像処理装置は、例えば、複数のルックアップテーブルを記憶しているテーブル記憶部と、ルックアップテーブルを一時保持するテーブル保持部と、画像データが入力されるデータ入力部と、入力される画像データを一時保持されたルックアップテーブルで印刷データに変換するデータ変換部と、変換された印刷データを出力するデータ出力部と、少なくともカラー画像と白黒画像との印刷指示が選択的に入力される指示入力部と、入力される印刷指示に対応してテーブル記憶部からルックアップテーブルを取得してテーブル保持部に格納するテーブル処理部と、を有する。
【０００４】
フルカラーの画像データは、一つの明度値と複数のカラー値からなる。このようなフルカラーの画像データは、例えば、(Ｌ，ａ，ｂ)等と表記される色空間を利用して生成されている。
【０００５】
フルカラーの印刷データは、三原色と黒色との濃度値からなる。このようなフルカラーの印刷データは、ＣＭＹｋ(Cyan Magenta Yellow black)と表記される色空間を利用して生成されている。なお、白黒の印刷データは、黒色の濃度値からなる。
【０００６】
そこで、テーブル処理部は、カラー画像の印刷指示が入力されるとテーブル記憶部からカラーテーブルを取得してテーブル保持部に格納する。また、白黒画像の印刷指示が入力されるとテーブル記憶部から白黒テーブルを取得してテーブル保持部に格納する。
【０００７】
上述のような画像処理装置では、利用者が所望によりカラー画像の印刷指示を入力すると、フルカラーの画像データからフルカラーの印刷データが生成される。また、利用者が所望により白黒画像の印刷指示を入力すると、フルカラーの画像データから白黒の印刷データが生成される。そこで、その印刷データを画像処理装置からカラープリンタに送信させることにより、そのカラー画像や白黒画像を印刷出力させることができる。
【０００８】
また、上述のような画像処理装置では、ルックアップテーブルを利用することにより、フルカラーの画像データからフルカラーや白黒の印刷データを的確かつ簡単に変換することができる。
【０００９】
上述のような画像処理装置として各種の提案がある(例えば、特許文献１〜４参照)。
【特許文献１】特開平０９−２９８６７３号公報
【特許文献２】特開２０００−００３０８４号公報
【特許文献３】特開２００２−１６５１０３号公報
【特許文献４】特開２００３−１４３４１８号公報
【発明の開示】
【発明が解決しようとする課題】
【００１０】
上述のような画像処理装置は、ルックアップテーブルを利用することでフルカラーの画像データからフルカラーや白黒の印刷データを生成することができる。しかし、現在は印刷データの出力形態として様々な要望がある。
【００１１】
例えば、フルカラーの画像データから、黒色以外の単色の印刷データを生成する要望がある。そこで、特許文献１の画像処理装置では、フルカラーの画像データを単色の印刷データに変換するための専用テーブルをルックアップテーブルの一つとして有する。
【００１２】
しかし、これでは単色印刷のために専用のルックアップテーブルを記憶しておく必要がある。ルックアップテーブルは大容量なので、その個数が増加することは好ましくない。
【００１３】
特に、単色画像として、シアン、マゼンタ、イエロー、シアン＋マゼンタ、シアン＋イエロー、マゼンタ＋イエロー、シアン＋マゼンタ＋イエロー、の一つで印刷データを生成することが想定できる。この場合、大容量のルックアップテーブルが多数となるため、さらに記憶しておくデータ容量が増大することになる。
【００１４】
本発明は上述のような課題に鑑みてなされたものであり、フルカラーの画像データを単色の印刷データに変換することができるルックアップテーブルを、既存のカラーテーブルと白黒テーブルから生成することができる画像処理装置を提供するものである。
【課題を解決するための手段】
【００１５】
本発明の画像処理装置は、一つの明度値と複数のカラー値からなるフルカラーの画像データを三原色と黒色との濃度値からなるフルカラーの印刷データに変換するためのカラーテーブルと、フルカラーの画像データを黒色の濃度値からなる白黒の印刷データに変換するための白黒テーブルとを、複数のルックアップテーブルとして有し、複数のルックアップテーブルから一つを選択して画像データを印刷データに変換する画像処理装置であって、カラーテーブルの三原色の少なくとも一部における濃度値を白黒テーブルの濃度値に置換するとともに三原色の他部と黒色とにおける濃度値の全部を０に置換することでルックアップテーブルの一つとして一時テーブルを生成するテーブル処理部を有する。
【００１６】
本発明のコンピュータプログラムは、本発明の画像処理装置のためのコンピュータプログラムであって、少なくともカラー画像と白黒画像と単色画像との印刷指示の選択的な入力を受け付けること、カラー画像の印刷指示が入力されるとテーブル記憶部からカラーテーブルを取得してテーブル保持部に格納すること、白黒画像の印刷指示が入力されるとテーブル記憶部から白黒テーブルを取得してテーブル保持部に格納すること、単色画像の印刷指示が入力されるとテーブル記憶部からカラーテーブルと白黒テーブルとを取得し、カラーテーブルの三原色の少なくとも一部における濃度値を白黒テーブルの濃度値に置換するとともに三原色の他部と黒色とにおける濃度値の全部を０に置換することで一時テーブルを生成してテーブル保持部に格納すること、画像データの入力を受け付けること、入力される画像データを一時保持されたルックアップテーブルで印刷データに変換すること、変換された印刷データを出力すること、を画像処理装置に実行させる。
【００１７】
従って、本発明の画像処理装置では、フルカラーの画像データを黒色以外の単色画像の印刷データに変換するための一時テーブルを、既存かつ必須のカラーテーブルと白黒テーブルからリアルタイムに的確に生成することができる。
【００１８】
なお、本発明で云う単色とは、黒色以外のカラーを意味しており、具体的には、シアン、マゼンタ、イエロー、シアン＋マゼンタ、シアン＋イエロー、マゼンタ＋イエロー、シアン＋マゼンタ＋イエロー、である。
【００１９】
また、本発明で云う各種の構成要素は、その機能を実現するように形成されていればよく、例えば、所定の機能を発揮する専用のハードウェア、所定の機能がコンピュータプログラムにより付与された画像処理装置、コンピュータプログラムにより画像処理装置に実現された所定の機能、これらの任意の組み合わせ、等として実現することができる。
【００２０】
また、本発明の各種の構成要素は、個々に独立した存在である必要もなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でよい。
【００２１】
なお、本発明でコンピュータプログラムに対応した各種動作を画像処理装置に実行させることは、各種デバイスを画像処理装置に動作制御させることなども意味している。例えば、画像処理装置に各種データを記憶させることは、画像処理装置に固定されているＲＡＭ(Random Access Memory)等の情報記憶媒体にＣＰＵ(Central Processing Unit)が各種データを格納すること、画像処理装置に交換自在に装填されているＦＤ(Flexible Disc-cartridge)等の情報記憶媒体にＣＰＵがＦＤＤ(FD Drive)で各種データを格納すること、等でよい。
【００２２】
さらに、本発明で云う「データを記憶している」とは、本発明の装置が使用されるときに「データを記憶している」状態にあることを意味している。このため、本発明の装置が出荷されるときにはデータを記憶しておらず、使用する以前にデータを記憶している状態にセットアップされることを許容する。
【発明の効果】
【００２３】
本発明の画像処理装置では、フルカラーの画像データを黒色以外の単色画像の印刷データに変換するための一時テーブルを、既存かつ必須のカラーテーブルと白黒テーブルからリアルタイムに的確に生成することができる。このため、ルックアップテーブルを記憶しておくためのメモリ容量を増加させることなく、フルカラーの画像データから単色画像の印刷データを生成することができる。
【発明を実施するための最良の形態】
【００２４】
本発明の実施の一形態を図面を参照して以下に説明する。本実施の形態の画像処理装置１００は、図２(ａ)に示すように、一つの明度値(Ｌ)と複数のカラー値(ａ，ｂ)からなるフルカラーの画像データを三原色(ＣＭＹ)と黒色(ｋ)との濃度値からなるフルカラーの印刷データに変換するためのカラーテーブルと、図２(ｂ)に示すように、フルカラーの画像データを黒色(ｋ)の濃度値からなる白黒の印刷データに変換するための白黒テーブルとを、複数のルックアップテーブルとして有する。そして、複数のルックアップテーブルから一つを選択して画像データを印刷データに変換する。
【００２５】
さらに、本実施の形態の画像処理装置１００は、カラーテーブルの三原色(ＣＭＹ)の少なくとも一部の濃度値を白黒テーブルの濃度値に置換するとともに、三原色(ＣＭＹ)の他部と黒色(ｋ)との濃度値の全部を０に置換することで、ルックアップテーブルの一つとして一時テーブルである単色テーブルを生成するテーブル処理部１１０を有する。
【００２６】
より詳細には、本実施の形態の画像処理装置１００は、いわゆるパーソナルコンピュータに相当し、コンピュータプログラムを読み取って対応するデータ処理を実行できるように、ＣＰＵ、ＲＯＭ(Read Only Memory)、ＲＡＭ、Ｉ／Ｆ(Interface)ユニット、等の汎用デバイスで構築されている。
【００２７】
図１に示すように、画像処理装置１００は、カラープリンタ２００に接続されている。このカラープリンタ２００は、三原色と黒色であるＣＭＹｋの印刷データを画像処理装置１００から受信すると、対応するＣＭＹｋのカラーインクで印刷画像を生成する。
【００２８】
そして、このカラープリンタ２００に対応したプリンタコントローラのアプリケーションソフトが画像処理装置１００にインストールされている。画像処理装置１００には、上述のアプリケーションソフトによる各種機能として、前述のテーブル処理部１１０や以下の各部１２０〜などが論理的に構築されている。
【００２９】
このため、本実施の形態の画像処理装置１００は、複数の三次元のルックアップテーブルを記憶しているテーブル記憶部１２０と、ルックアップテーブルを一時保持するテーブル保持部１３０と、画像データが入力されるデータ入力部１４０と、入力される画像データを一時保持されたルックアップテーブル(および補完演算など)で印刷データに変換するデータ変換部１５０と、変換された印刷データを出力するデータ出力部１６０と、少なくともカラー画像と白黒画像と単色画像との印刷指示が選択的に入力される指示入力部１７０とを、さらに有する。
【００３０】
テーブル処理部１１０は、カラー画像の印刷指示が入力されると、図２(ａ)に示すようなカラーテーブルをテーブル記憶部１２０から取得し、テーブル保持部１３０に格納する。また、白黒画像の印刷指示が入力されると、図２(ｂ)に示すような白黒テーブルをテーブル記憶部１２０から取得し、テーブル保持部１３０に格納する。
【００３１】
また、単色画像の印刷指示が入力されるとテーブル記憶部１２０からカラーテーブルと白黒テーブルとを取得して単色テーブルをテーブル保持部１３０に格納する。このとき、テーブル処理部１１０は、前述のようにカラーテーブルの三原色(ＣＭＹ)の少なくとも一部の濃度値を白黒テーブルの濃度値に置換するとともに、三原色(ＣＭＹ)の他部と黒色(ｋ)との濃度値の全部を０に置換することで単色テーブルを生成する。
【００３２】
なお、画像処理装置１００は、白黒テーブルの濃度値に置換する三原色の少なくとも一部の指定データが入力される指定入力部１８０を、さらに有する。このため、テーブル処理部１１０は、入力された指定データに対応して三原色の少なくとも一部における濃度値を白黒テーブルの濃度値に置換する。
【００３３】
上述のような画像処理装置１００の各部は、必要によりＩ／Ｆユニット等のハードウェアを利用して実現される。しかし、その主体はＲＡＭ等の情報記憶媒体に格納されたコンピュータプログラムに対応してハードウェアであるＣＰＵが機能することにより実現されている。
【００３４】
このようなコンピュータプログラムは、例えば、複数のルックアップテーブルとしてカラーテーブルと白黒テーブルとを記憶しておくこと、少なくともカラー画像と白黒画像と単色画像との印刷指示を選択的に受け付けること、白黒テーブルの濃度値に置換する三原色の少なくとも一部の指定データを受け付けること、印刷指示などに対応して画像データの入力を受け付けること、カラー画像の印刷指示が入力されるとカラーテーブルで画像データを印刷データに変換すること、白黒画像の印刷指示が入力されると白黒テーブルで画像データを印刷データに変換すること、単色画像の印刷指示が入力されると指定データに対応してカラーテーブルの三原色の少なくとも一部における濃度値を白黒テーブルの濃度値に置換するとともに、三原色の他部と黒色とにおける濃度値の全部を０に置換することで、ルックアップテーブルの一つとして単色テーブルを生成し、この単色テーブルで画像データを印刷データに変換すること、変換された印刷データをカラープリンタ２００に出力すること、等の処理動作をＣＰＵ等に実行させるためのソフトウェアとしてＲＡＭ等の情報記憶媒体に格納されている。
【００３５】
上述のような構成において、本実施の形態の画像処理装置１００によるデータ処理方法を以下に説明する。本実施の形態の画像処理装置１００も、図２(ａ)に示すように、(Ｌ，ａ，ｂ)の画像データをＣＭＹｋからなるカラー画像の印刷データに変換するためのカラーテーブルと、図２(ｂ)に示すように、白黒画像の印刷データに変換するための白黒テーブルと、が三次元のルックアップテーブルとして登録されている。この白黒テーブルではｋのみ有効とするため、ＣＭＹｋのＣＭＹは０となっている。
【００３６】
(Ｌ，ａ，ｂ)のルックアップテーブルを模式的に三次元で表現すると、図３に示すように、(０−８)×(０−８)×(０−８)の空間に、印刷データの全色が配列されている状態となる。
【００３７】
このような三次元空間では上下方向が明度となり、前後左右の中心で彩度が０となる。このため、図３(ｂ)に示すように、(Ｌ，ａ，ｂ)＝(＊，４，４)は、彩度がなく明度のみある無彩色(白黒)である(＊は０〜８の任意の数値)。
【００３８】
そして、作業者が所望により画像処理装置１００で画像データを印刷データに変換してカラープリンタ２００に出力させるときは、画像データを選択した状態で、カラー画像か白黒画像か単色画像かの印刷指示を画像処理装置１００に入力操作する。
【００３９】
画像処理装置１００は、図４に示すように、カラー画像か白黒画像か単色画像かの、何れかの入力操作に常時待機しているので(ステップＳ１〜Ｓ３)、上述の入力操作を検知すると対応する処理動作を開始する(ステップＳ４，Ｓ５，Ｓ６)。
【００４０】
つまり、画像処理装置１００は、カラー画像の印刷指示が入力操作されると(ステップＳ１)、例えば、ＲＯＭからカラーテーブルを読み出してＲＡＭのワークエリアに一時保持させる(ステップＳ４)。
【００４１】
そして、一時保持されたカラーテーブルで(Ｌ，ａ，ｂ)からなる画像データがＣＭＹｋからなるフルカラーの印刷データに変換され(ステップＳ９)、カラープリンタ２００に出力される(ステップＳ１０)。このため、カラープリンタ２００は入力される印刷データによりＣＭＹｋのカラー画像を印刷出力する。
【００４２】
また、画像処理装置１００に白黒画像の印刷指示が入力操作されると(ステップＳ２)、白黒テーブルが読み出される(ステップＳ５)。その白黒テーブルで(Ｌ，ａ，ｂ)からなる画像データが白黒の印刷データに変換され(ステップＳ９)、カラープリンタ２００に出力される(ステップＳ１０)。このため、カラープリンタ２００は入力される印刷データにより白黒画像を印刷出力する。
【００４３】
そして、画像処理装置１００に単色画像の印刷指示が入力操作されると(ステップＳ３)、画像処理装置１００は単色の指定データの入力操作に待機する(ステップＳ６)。このとき、例えば、画像処理装置１００のディスプレイ(図示せず)に「印刷する単色を以下から選択してください。シアン、マゼンタ、イエロー、シアン＋マゼンタ、シアン＋イエロー、マゼンタ＋イエロー、シアン＋マゼンタ＋イエロー」などのガイダンスメッセージが表示される。
【００４４】
そこで、これを確認した作業者が所望の単色を指定すると、カラーテーブルと白黒テーブルとが読み出されて単色テーブルが生成される(ステップＳ７，Ｓ８)。その場合、読み出されたカラーテーブルがワークエリアに格納され、指定された単色に対応した三原色(ＣＭＹ)の一部の濃度値が白黒テーブルの濃度値に置換され、三原色(ＣＭＹ)の他部と黒色(ｋ)との濃度値の全部が０に置換される。
【００４５】
例えば、単色としてイエローが選択されると、図５に示すように、三原色の一部であるＹの濃度値が白黒テーブルの濃度値に置換され、三原色の他部と黒色であるＣＭｋの濃度値の全部が０に置換される。
【００４６】
このように単色テーブルが生成されると、この単色テーブルで(Ｌ，ａ，ｂ)からなる画像データが単色の印刷データに変換される(ステップＳ９)。この印刷データがカラープリンタ２００に出力されるので(ステップＳ１０)、カラープリンタ２００は入力される印刷データにより単色画像を印刷出力する。
【００４７】
本発明の画像処理装置１００では、上述のようにフルカラーの画像データを黒色以外の単色画像の印刷データに変換するための単色テーブルを、既存かつ必須のカラーテーブルと白黒テーブルからリアルタイムに的確に生成することができる。このため、ルックアップテーブルを記憶しておくためのメモリ容量を増加させることなく、フルカラーの画像データから単色画像の印刷データを生成することができる。
【００４８】
しかも、白黒テーブルの濃度値に置換する単色の指定データを受け付け、その指定データに対応して三原色の少なくとも一部における濃度値が白黒テーブルの濃度値に置換される。このため、作業者が所望する単色で画像データを印刷出力することができる。
【００４９】
なお、本発明は本実施の形態に限定されるものではなく、その要旨を逸脱しない範囲で各種の変形を許容する。例えば、上記形態ではカラーテーブルの三原色の一つの濃度値を白黒テーブルの濃度値に置換することを例示した。しかし、図６に示すように、カラーテーブルの三原色の複数の濃度値を白黒テーブルの濃度値に置換してもよい。
【００５０】
さらに、上記形態ではカラーテーブルの濃度値を白黒テーブルの濃度値に直接に置換することを例示した。しかし、図６に示すように、白黒テーブルの濃度値に０．８などの係数を乗算してからカラーテーブルの濃度値を置換してもよい。
【００５１】
一般的に黒色インクによる印刷とカラーインクによる印刷では、目視による明度の変化割合が完全には同期しない。このため、カラーテーブルの濃度値を白黒テーブルの濃度値に直接に置換すると、単色印刷の目視の濃度段数が減少することが発生する。
【００５２】
しかし、上述のように白黒テーブルの濃度値に０．８などの係数を乗算してからカラーテーブルの濃度値を置換すると、単色印刷の目視の濃度段数を白黒印刷と同等とすることができる。
【００５３】
なお、カラーテーブルの三原色の全部における濃度値を白黒テーブルの濃度値に置換する場合、上述の係数が三原色に対して同一であると、ＣＭＹが同一の比率で混色されるため、生成される単色は疑似的な無彩色となる。
【００５４】
そこで、カラーテーブルの三原色の全部における濃度値を白黒テーブルの濃度値に置換する場合には、三原色に対して少なくとも一つの係数を異ならせることにより、無彩色ではない単色を生成することがよい。
【００５５】
さらに、上記形態では画像処理装置１００がカラー画像か白黒画像か単色画像かの入力操作に常時待機しており、一つの入力操作を検知すると対応する処理動作を開始することを例示した。しかし、例えば、カラー画像を印刷するようにデフォルト設定されており、白黒印刷や単色印刷は指定された場合のみ実行するようなことでもよい。
【００５６】
さらに、本実施の形態ではＲＡＭ等に格納されているコンピュータプログラムに対応してＣＰＵが動作することにより、画像処理装置１００の各種機能として各部が論理的に実現されることを例示した。
【００５７】
しかし、このような各部の各々を固有のハードウェアとして形成することもでき、一部をソフトウェアとしてＲＡＭ等に格納するとともに一部をハードウェアとして形成することもできる。
【図面の簡単な説明】
【００５８】
【図１】本発明の実施例の画像処理装置の論理構造を示す模式図である。
【図２】カラーテーブルと白黒テーブルとの設定内容を示す模式図である。
【図３】ルックアップテーブルの論理構造を示す模式図である。
【図４】画像処理装置によるデータ処理方法を示すフローチャートである。
【図５】単色テーブルの設定内容を示す模式図である。
【図６】一変形例の単色テーブルの設定内容を示す模式図である。
【符号の説明】
【００５９】
１００    画像処理装置
１１０    テーブル処理部
１２０    テーブル記憶部
１３０    テーブル保持部
１４０    データ入力部
１５０    データ変換部
１６０    データ出力部
１７０    指示入力部
１８０    指定入力部
２００    カラープリンタ
【図１】
2008078849.tif 000003
【図２】
2008078849.tif 000004
【図３】
2008078849.tif 000005
【図４】
2008078849.tif 000006
【図５】
2008078849.tif 000007
【図６】
2008078849.tif 000008